【手続補正書】
【提出日】平成16年8月6日(2004.8.6)
【手続補正１】
【補正対象書類名】明細書
【補正対象項目名】全文
【補正方法】変更
【補正の内容】
【書類名】          明細書
【発明の名称】      パチンコ機の基板ケース
【特許請求の範囲】
【請求項１】  パチンコ機の動作状態を制御する回路基板と、
前記回路基板が定設されるシャーシと、
前記シャーシとほぼ同じ大きさであって、前記回路基板を覆うように取り付けられる箱状のカバー部材と、
前記カバー部材の前記シャーシへの取り付けを封止する封止手段とを備えたパチンコ機の基板ケースにおいて、
前記封止手段は、一端部に係止突起が形成された係止部材と、
前記シャーシの所定位置に形成されて、前記係止部材が一端側から嵌挿される少なくとも１つの所定深さの第１取付孔と、
前記カバー部材の該第１取付孔の対向する位置に形成されて、前記係止部材が一端側から嵌挿される所定深さの第２取付孔と、
前記第１取付孔又は第２取付孔のうちの一方の内側に形成されて、前記係止部材の係止突起が係合される凹部と、を有し、
前記凹部が形成された第１取付孔又は第２取付孔は、外側端面部が塞がれており、該凹部が形成されていない第１取付孔又は第２取付孔は、外側端面部が開放されており、
前記係止部材は、該凹部が形成されていない第１取付孔又は第２取付孔の外側端面部から第１取付孔及び第２取付孔内に嵌挿されて、前記係止突起が凹部に係合されることによって、この第１取付孔及び第２取付孔が連結され、前記カバー部材の前記シャーシへの取り付けが封止されることを特徴とするパチンコ機の基板ケース。
【請求項２】  前記凹部が形成されていない第１取付孔又は第２取付孔は、内側端面部に形成されて、前記係止部材に当接する当接部を有し、
前記係止部材は、前記当接部に当接する板部材と、
前記板部材の該当接部に当接する側の面に垂設されると共に、前記係止突起が端部に形成される複数の弾性係止片とを有し、
前記係止部材は、前記板部材がこの当接部に当接するように前記第１取付孔及び第２取付孔内に嵌挿されることを特徴とする請求項１に記載のパチンコ機の基板ケース。
【請求項３】  前記板部材は、ほぼ中央部にネジが挿通される貫通孔を有し、
前記貫通孔を介してネジ止めされることを特徴とする請求項２に記載のパチンコ機の基板ケース。
【請求項４】  前記凹部は、係止孔により構成され、
前記係止孔が設けられない前記第１取付孔又は第２取付孔の内側端縁部は、前記係止孔の外側を覆うように延出されていることを特徴とする請求項１乃至請求項３のいずれかに記載のパチンコ機の基板ケース。
【請求項５】  パチンコ機の動作状態を制御する回路基板と、
前記回路基板が定設されるシャーシと、
前記シャーシとほぼ同じ大きさであって、前記回路基板を覆うように取り付けられる箱状のカバー部材と、
前記カバー部材の前記シャーシへの取り付けを封止する封止手段とを備えたパチンコ機の基板ケースにおいて、
前記封止手段は、前記シャーシの所定位置に形成されて、少なくとも１つの外側端面部が塞がれる所定深さの第１取付孔と、
前記カバー部材の該第１取付孔の対向する位置に形成されて外側端面部が塞がれる所定深さの第２取付孔と、
前記第１取付孔及び第２取付孔のそれぞれの内側に形成される凹部と、
前記第１取付孔及び第２取付孔内に嵌挿される係止部材と、を有し、
前記係止部材は、前記第１取付孔又は第２取付孔の内側に嵌挿される板部材と、
前記板部材の上面及び下面に垂設されると共に、係止突起が端部に形成される複数の弾性係止片を有し、
前記各弾性係止片の係止突起が該第１取付孔及び第２取付孔の各凹部に係合されることによって、この第１取付孔及び第２取付孔が連結され、前記カバー部材の前記シャーシへの取り付けが封止されることを特徴とするパチンコ機の基板ケース。
【請求項６】  前記シャーシに突設された複数の第１突片部と、
前記カバー部材の前記第１突片部の各々に対向する位置に突設される複数の第２突片部とを備え、
前記第１取付孔は、前記第１突片部の各々に形成され、前記第２取付孔は、前記第２突片部の各々に形成されると共に、前記係止部材が嵌挿された第１取付孔及び第２取付孔が形成された該第１突片部及び第２突片部を前記シャーシ及び前記カバー部材から切り欠くことにより、前記封止手段による封止が解除されることを特徴とする請求項１乃至請求項５のいずれかに記載のパチンコ機の基板ケース。
【請求項７】  前記係止部材は、前記シャーシ又はカバー部材を介して見えることを特徴とする請求項１乃至請求項６のいずれかに記載のパチンコ機の基板ケース。
【請求項８】  前記回路基板は、メイン基板であることを特徴とする請求項１乃至請求項７のいずれかに記載のパチンコ機の基板ケース。
【発明の詳細な説明】
【０００１】
【発明の属する技術分野】
本発明は、パチンコ機の基板ケースに関し、特に、カバー部材のシャーシへの取り付けを各シャーシ及びカバー部材の取付孔内に嵌挿された係止部材による係止によって封止することにより、該封止を非破壊で解除することができないため、基板ケース内の回路基板への不正行為を確実に検出することが可能なパチンコ機の基板ケースに関するものである。
【０００２】
【従来の技術】
近年のパチンコ機においては、回路基板の一つであって、パチンコ機のゲーム内容が書き込まれたＲＯＭを実装したメイン基板が、搭載されている。従って、パチンコ機のゲーム内容が不正に変更されることを防止するために、かかるＲＯＭを実装したメイン基板に対し、種々の封止構造が施されている。
本従来例として、この封止構造の一例について図１１乃至図１４に基づいて説明する。先ず、この封止構造の概略構成について図１１及び図１２に基づいて説明する。図１１は従来例に係るパチンコ機の回路基板の封止構造を示した分解斜視図である。図１２は従来例に係るパチンコ機の図１１の矢視Ｐから見た図であって、第１突片部、第２突片部、ねじの一部については、断面で示したものである。
図１１に示すように、パチンコ機の回路基板の封止構造は、メイン基板１０１をシャーシ１０２及びカバー１０３で封止するものであるが、以下に述べる工夫が施されている。
【０００３】
すなわち、メイン基板１０１が固定されたシャーシ１０２には、８個の第１突片部１０４が突き出されて設けられており、さらに、第１突片部１０４の各々には、第１取付孔１０５が設けられている。また、メイン基板１０１を覆うカバー１０３には、８個の第２突片部１０６が突き出されて設けてられている。
【０００４】
かかる第２突片部１０６は、図１２に示すように、カバー１０３がシャーシ１０２に対して定まった位置に置かれた際において、第１突片部１０４の各々と接触した状態になるものである。さらに、第２突片部１０６の各々には、第２取付孔１０７が設けられている。かかる第２取付孔１０７は、図１２に示すように、カバー１０３がシャーシ１０２に対して定まった位置に置かれた際において、第１取付孔１０５の各々に対し、直列に連続して位置するものである。また、第２取付孔１０７の各々には、一方向にしか進まない螺子１０８が仮止めされてある。尚、図１２は、図１１の矢視Ｐから見たものであって、２組の第１突片部１０４、第２突片部１０６、螺子１０８については、断面で示してある。
【０００５】
次に、本従来例における封止の一例を図１３に基づいて説明する。図１３は本従来例に係るパチンコ機のメイン基板をシャーシ及びカバーで封止した際における一例を示した断面図である。
図１３に示すように、カバー１０３がシャーシ１０２に対して定まった位置に置かれた際において、第２取付孔１０７及び第１取付孔１０５に右端（図１３中、右側）の螺子１０８をねじ込むと、カバー１０３はシャーシ１０２に対して定まった位置に固定されるので、メイン基板１０１をシャーシ１０２及びカバー１０３で封止することができる。また、螺子１０８は、一方向にしか進まないものであるから、第２取付孔１０６及び第１取付孔１０５に一旦ねじ込まれると、第２取付孔１０６及び第１取付孔１０５から取り外すことはできなくなる。これにより、カバー１０３をシャーシ１０２から離間させることができなくなるので、メイン基板１０１への不正行為を防止することができる。
【０００６】
尚、本従来例では、メイン基板１０１に対する封止を効果的にするため、８個の第１突片部１０４及び８個の第２突片部１０６を、図１１に示すように、対角する場所に４個ずつ分けて設けている。そして、対角する場所に仮止めされた一対の螺子１０８をねじ込むことにより、メイン基板１０１に対する封止を効果的に行うことができる。
【０００７】
次に、本従来例における封止の解除の一例を図１４に基づいて説明する。図１４は本従来例に係るパチンコ機の回路基板に対する封止を解除した際の一例を示した平面図である。
図１４に示すように、螺子１０８がねじ込まれた対角に位置する一対の第１取付孔１０５を設けた第１突片部１０４と第２取付孔１０７を設けた第２突片部１０６とを、シャーシ１０２及びカバー１０３から切り欠くと、カバー１０３をシャーシ１０２から離間させることが可能となり、これにより、メイン基板１０１に対する封止を解除することができる。
【０００８】
さらに、その後、カバー１０３をシャーシ１０２に対して定まった位置に置き、シャーシ１０２及びカバー１０３から未だ切り欠けられていない第１突片部１０４と第２突片部１０６において、対角する場所に仮止めされた一対の螺子１０８をねじ込めば、メイン基板１０１に対する封止を再び行うことができる。尚、ここでは、上述したように、メイン基板１０１に対する確実な封止のために、対角する場所に仮止めされた一対の螺子１０８を使用するので、メイン基板１０１に対する封止及びその解除を、４回繰り返して行うことができる。
【０００９】
従って、封止中のメイン基板１０１に対する検査のために、かかる封止を解除しても、メイン基板１０１を再び封止することができる。さらに、第１突片部１０４と第２突片部１０６の切欠痕により、メイン基板１０１に対する封止の解除の形跡を残すことができるので、封止の解除の記録と照らし合わせれば、以前の封止の解除が、検査のためのものであるか、それとも、不正行為によるものであるかを識別することができる。
【００１０】
【発明が解決しようとする課題】
しかしながら、第２取付孔１０７にねじ込められた螺子１０８は、外部から自由に接触することができるので、不正に外されるおそれがあるという問題がある。また、螺子１０８を第１取付孔１０５にねじ込むトルク管理が難しく、作業性が低下するという問題がある。
【００１１】
そこで、本発明は、上述した問題点を解決するためになされたものであり、回路基板に対する封止部分に封止後自由に接触することを防止し、該封止が不正に外されることをより効果的に防止することが可能となると共に、該封止を容易に行うことができて作業性の向上を図ることが可能なパチンコ機の基板ケースを提供することを目的とする。
【００１２】
【課題を解決するための手段】
前記目的を達成するため請求項１に係るパチンコ機の基板ケースは、パチンコ機の動作状態を制御する回路基板と、前記回路基板が定設されるシャーシと、前記シャーシとほぼ同じ大きさであって、前記回路基板を覆うように取り付けられる箱状のカバー部材と、前記カバー部材の前記シャーシへの取り付けを封止する封止手段とを備えたパチンコ機の基板ケースにおいて、前記封止手段は、一端部に係止突起が形成された係止部材と、前記シャーシの所定位置に形成されて、前記係止部材が一端側から嵌挿される少なくとも１つの所定深さの第１取付孔と、前記カバー部材の該第１取付孔の対向する位置に形成されて、前記係止部材が一端側から嵌挿される所定深さの第２取付孔と、前記第１取付孔又は第２取付孔のうちの一方の内側に形成されて、前記係止部材の係止突起が係合される凹部と、を有し、前記凹部が形成された第１取付孔又は第２取付孔は、外側端面部が塞がれており、該凹部が形成されていない第１取付孔又は第２取付孔は、外側端面部が開放されており、前記係止部材は、該凹部が形成されていない第１取付孔又は第２取付孔の外側端面部から第１取付孔及び第２取付孔内に嵌挿されて、前記係止突起が凹部に係合されることによって、この第１取付孔及び第２取付孔が連結され、前記カバー部材の前記シャーシへの取り付けが封止されることを特徴とする。
【００１３】
このような特徴を有する請求項１に係るパチンコ機の基板ケースにおいては、回路基板が定設されたシャーシとこの回路基板を覆うように取り付けられるカバー部材との封止手段は、シャーシの所定位置に形成された所定深さの第１取付孔と、カバー部材の前記第１取付孔に対向する位置に形成された所定深さの第２取付孔と、この第１取付孔及び第２取付孔の内側に一端側から嵌挿される係止部材とから構成される。また、この係止部材の端部には係止突起が形成され、前記第１取付孔及び第２取付孔のうちの一方の内側の該係止突起に対向する位置には凹部が形成されている。更に、前記凹部が形成される第１取付孔又は第２取付孔の他端側は、塞がれており、該凹部が形成されていない第１取付孔又は第２取付孔は、外側端面部が開放されている。そして、該係止部材は、外側端面部が塞がれていない第１取付孔又は第２取付孔内に一端側から嵌挿されて、該係止部材の係止突起が外側端面部が塞がれた第１取付孔又は第２取付孔に形成される該凹部に係止されることにより、この第１取付孔及び第２取付孔が連結され、前記カバー部材の前記シャーシへの取り付けが封止される。
これにより、前記凹部が形成される第１取付孔又は第２取付孔の外側端面部は、塞がれているため、封止後この係止部材の係止突起部分に自由に接触することを防止することができ、この封止が不正に外されることを効果的に防止することが可能となる。また、係止部材を前記第１取付孔及び第２取付孔の内側に嵌挿することにより封止を行うことができるため、この封止を容易に行うことができて作業性の向上を図ることが可能となる。
【００１４】
また、請求項２に係るパチンコ機の基板ケースは、請求項１に記載のパチンコ機の基板ケースにおいて、前記凹部が形成されていない第１取付孔又は第２取付孔は、内側端面部に形成されて、前記係止部材に当接する当接部を有し、前記係止部材は、前記当接部に当接する板部材と、前記板部材の該当接部に当接する側の面に垂設されると共に、前記係止突起が端部に形成される複数の弾性係止片とを有し、前記係止部材は、前記板部材がこの当接部に当接するように前記第１取付孔及び第２取付孔内に嵌挿されることを特徴とする。
【００１５】
このような特徴を有する請求項２に係るパチンコ機の基板ケースは、請求項１に記載したパチンコ機の基板ケースにおいて、凹部が形成されていない第１取付孔又は第２取付孔は、内側端面部に係止部材に当接する当接部が形成されている。また、係止部材は、該当接部に当接する板部材と、この当接側の面には、端部に係止突起が形成された複数の弾性係止片が垂設されている。そして、この係止部材は、板部材がこの当接部に当接するように凹部が形成されていない第１取付孔又は第２取付孔内に嵌挿される。
これにより、係止部材の板部材を第１取付孔又は第２取付孔の内側端面部に形成された当接部に当接するまで、嵌挿することにより各係止突起が凹部と係合して封止を行うことができるため、この封止を容易に行うことができて作業性の向上を図ることが可能となる。また、凹部が形成される第１取付孔又は第２取付孔の外側端面部は塞がれているため、封止後この係止部材の係止突起に自由に接触することを防止することができ、この封止を不正に外されることを効果的に防止することが可能となる。
【００１６】
また、請求項３に係るパチンコ機の基板ケースは、請求項２に記載のパチンコ機の基板ケースにおいて、前記板部材は、ほぼ中央部にネジが挿通される貫通孔を有し、前記貫通孔を介してネジ止めされることを特徴とする。
【００１７】
このような特徴を有する請求項３に係るパチンコ機の基板ケースは、請求項２に記載したパチンコ機の基板ケースにおいて、係止部材を構成する板部材は、ほぼ中央部にネジが挿通される貫通孔を有し、この貫通孔を介してネジ止めされるため、より強固に係止部材を固定することができ、この封止を不正に外されることをより効果的に防止することが可能となる。
【００１８】
また、請求項４に係るパチンコ機の基板ケースは、請求項１乃至請求項３のいずれかに記載のパチンコ機の基板ケースにおいて、前記凹部は、係止孔により構成され、
前記係止孔が設けられない前記第１取付孔又は第２取付孔の内側端縁部は、前記係止孔の外側を覆うように延出されていることを特徴とする。
【００１９】
このような特徴を有する請求項４に係るパチンコ機の基板ケースは、請求項１乃至請求項３のいずれかに記載したパチンコ機の基板ケースにおいて、前記凹部は、係止孔により構成され、係止孔が設けられない第１取付孔又は第２取付孔の内側端縁部は、係止孔の外側を覆うように延出されているため、封止後この係止部材の係止突起に自由に接触することを防止することができ、この封止を不正に外されることを効果的に防止することが可能となる。また、この凹部は係止孔により構成されるため、製作が容易になり、製造コストダウンを図ることが可能となる。
【００２０】
また、請求項５に係るパチンコ機の基板ケースは、パチンコ機の動作状態を制御する回路基板と、前記回路基板が定設されるシャーシと、前記シャーシとほぼ同じ大きさであって、前記回路基板を覆うように取り付けられる箱状のカバー部材と、前記カバー部材の前記シャーシへの取り付けを封止する封止手段とを備えたパチンコ機の基板ケースにおいて、前記封止手段は、前記シャーシの所定位置に形成されて、少なくとも１つの外側端面部が塞がれる所定深さの第１取付孔と、前記カバー部材の該第１取付孔の対向する位置に形成されて外側端面部が塞がれる所定深さの第２取付孔と、前記第１取付孔及び第２取付孔のそれぞれの内側に形成される凹部と、前記第１取付孔及び第２取付孔内に嵌挿される係止部材と、を有し、前記係止部材は、前記第１取付孔又は第２取付孔の内側に嵌挿される板部材と、前記板部材の上面及び下面に垂設されると共に、係止突起が端部に形成される複数の弾性係止片を有し、前記各弾性係止片の係止突起が該第１取付孔及び第２取付孔の各凹部に係合されることによって、この第１取付孔及び第２取付孔が連結され、前記カバー部材の前記シャーシへの取り付けが封止されることを特徴とする。
【００２１】
このような特徴を有する請求項５に係るパチンコ機の基板ケースは、回路基板が定設されたシャーシとこの回路基板を覆うように取り付けられるカバー部材との封止手段は、シャーシの所定位置に形成された各外側端面部が塞がれる所定深さの第１取付孔と、カバー部材の前記第１取付孔に対向する位置に形成された外側端面部が塞がれる所定深さの第２取付孔と、各第１取付孔及び第２取付孔のそれぞれの内側に形成される凹部と、この第１取付孔及び第２取付孔内に嵌挿される係止部材とから構成される。また、この係止部材は、第１取付孔又は第２取付孔の内側に嵌挿される板部材と、この板部材の上面及び下面に垂設されると共に、係止突起が端部に形成される複数の弾性係止片が形成されている。そして、第１取付孔及び第２取付孔内に嵌挿された係止部材の弾性係止片の各係止突起が該第１取付孔及び第２取付孔の各凹部に係合されることによって、この第１取付孔及び第２取付孔が連結され、カバー部材の前記シャーシへの取り付けが封止される。
これにより、この係止部材を、外側端面部が塞がれた第１取付孔及び第２取付孔に嵌挿することにより、該係止部材の上下に形成された各弾性係止片の係止突起が凹部と係合して封止を行うことができるため、この封止を容易に行うことができて作業性の向上を図ることが可能となる。また、第１取付孔と第２取付孔の外側端面部は、塞がれているため、封止後この係止部材の係止突起に自由に接触することを防止することができ、この封止が不正に外されることを効果的に防止することが可能となる。
【００２２】
また、請求項６に係るパチンコ機の基板ケースは、請求項１乃至請求項５のいずれかに記載のパチンコ機の基板ケースにおいて、前記シャーシに突設された複数の第１突片部と、前記カバー部材の前記第１突片部の各々に対向する位置に突設される複数の第２突片部とを備え、前記第１取付孔は、前記第１突片部の各々に形成され、前記第２取付孔は、前記第２突片部の各々に形成されると共に、前記係止部材が嵌挿された第１取付孔及び第２取付孔が形成された該第１突片部及び第２突片部を前記シャーシ及び前記カバー部材から切り欠くことにより、前記封止手段による封止が解除されることを特徴とする。
【００２３】
このような特徴を有する請求項６に係るパチンコ機の基板ケースは、請求項１乃至請求項５のいずれかに記載したパチンコ機の基板ケースにおいて、前記第１取付孔は、前記シャーシに突設された複数の第１突片部の各々に形成され、前記第２取付孔は、前記カバー部材の前記第１突片部の各々に対向する位置に突設される複数の第２突片部の各々に形成されている。そして、前記係止部材が嵌挿された第１取付孔及び第２取付孔が形成された該第１突片部及び第２突片部を前記シャーシ及び前記カバー部材から切り欠くことにより、前記封止手段による封止が解除される。
これにより、前記係止部材が嵌挿された第１突片部及び第２突片部を前記シャーシ及び前記カバー部材から切り欠くことにより、前記封止手段による封止が解除されて、該カバー部材をシャーシから取り外すことが可能になる。また、未だ切り欠けられていない第１突片部及び第２突片部において、これらの内側に係止部材を嵌挿することにより、前記カバー部材の前記シャーシへの取り付けを再度、封止することが可能となる。
【００２４】
また、請求項７に係るパチンコ機の基板ケースは、請求項１乃至請求項６のいずれかに記載のパチンコ機の基板ケースにおいて、前記係止部材は、前記シャーシ又はカバー部材を介して見えることを特徴とする。
【００２５】
このような特徴を有する請求項７に係るパチンコ機の基板ケースは、請求項１乃至請求項６のいずれかに記載したパチンコ機の基板ケースにおいて、前記係止部材は、前記シャーシ又はカバー部材を介して見えるため、係止部材による封止の確認を容易に、且つ効果的に行うことが可能となる。
【００２６】
更に、請求項８に係るパチンコ機の基板ケースは、請求項１乃至請求項７のいずれかに記載のパチンコ機の基板ケースにおいて、前記回路基板は、メイン基板であることを特徴とする。
【００２７】
このような特徴を有する請求項８に係るパチンコ機の基板ケースは、請求項１乃至請求項７のいずれかに記載したパチンコ機の基板ケースにおいて、前記回路基板は、メイン基板であるため、封止中のメイン基板に対する検査等をより効果的に繰り返し行うことが可能となる。
【００２８】
【発明の実施の形態】
以下、本発明に係るパチンコ機の基板ケースをメイン基板の基板ケースについて具体化した第１乃至第３実施の形態を図面を参照して詳細に説明する。
最初に、第１実施形態に係るパチンコ機の基板ケースについて図１乃至図３に基づいて説明する。先ず、第１実施形態に係るパチンコ機の基板ケースの全体構成について図１に基づき説明する。図１は第１実施形態に係るパチンコ機の基板ケースを示した分解斜視図である。
図１に示すように、基板ケース１は、回路基板であるメイン基板２、このメイン基板２が固定されたシャーシ３、及びメイン基板２を覆うポリカーボネート樹脂等の合成樹脂により形成された透明なカバー部材４から構成されている。尚、このメイン基板２には、パチンコ機の賞球払い出し制御等を制御する制御回路が構成されている。
【００２９】
また、シャーシ３の上下端縁部（図１中、左右端縁部）には、４個ずつ第１突片部５Ａ、５Ｂ、５Ｃ、５Ｄ、及び６Ａ、６Ｂ、６Ｃ、６Ｄが、各々対称な位置に突き出されて設けられている。この各第１突片部５Ａ〜５Ｄ、６Ａ〜６Ｄの側面の中心軸に対して対称な位置の２カ所には、後述の係止孔７（図２参照）が形成されている。また、カバー部材４の開放側上下端縁部の前記各第１突片部５Ａ〜５Ｄ、６Ａ〜６Ｄに対向する位置には、４個ずつ第２突片部８Ａ、８Ｂ、８Ｃ、８Ｄ、及び９Ａ、９Ｂ、９Ｃ、９Ｄが、各々突き出されて設けられている。
【００３０】
また、各第２突片部８Ａ、９Ａには、後述のように茶色の合成樹脂製の各係止部材１０、１２（図２参照）が上側から嵌挿される。さらに、各係止部材１０、１２の上側から一方向にしか進まない各螺子（いわゆるワン・ウェイビス）１１、１３が後述のようにねじ込まれて、カバー部材４のシャーシ３への取り付けが封止される（図３参照）。
【００３１】
次に、各第１突片部５Ａ〜５Ｄ、６Ａ〜６Ｄ、各第２突片部８Ａ〜８Ｄ、９Ａ〜９Ｄ、各係止部材１０、１２、及び螺子１１、１３の構成について図２に基づいて説明する。尚、各第１突片部５Ａ〜５Ｄ、各第２突片部８Ａ〜８Ｄ、係止部材１０、及び螺子１１と、各第１突片部６Ａ〜６Ｄ、各第２突片部９Ａ〜９Ｄ、係止部材１２、及び螺子１３とは、ほぼ同じ構成であるので、各第１突片部５Ａ〜５Ｄ、各第２突片部８Ａ〜８Ｄ、係止部材１０、及び螺子１１の構成について説明する。図２は第１実施形態に係る基板ケース１の各第１突片部５Ａ〜５Ｄ、各第２突片部８Ａ〜８Ｄ、係止部材１０、及び螺子１１を示す側断面図である。    
【００３２】
先ず、シャーシ３から突設される各第１突片部５Ａ〜５Ｄは、図２に示すように、ほぼ同じ形状であり、略円筒状で下側端縁部が塞がれて、第１取付孔１５が形成されている。そして、その側面のほぼ半分の高さには中心軸に対して対称な位置に各係止孔７、７が穿設されている。また、底面のほぼ中心位置には取付ボス１６が上端面より少し低い高さで垂設されている。そして、この取付ボス１６の上端面には螺子１１がねじ込まれる所定深さのネジ孔１７が形成されている。  
【００３３】
また、図２に示すように、カバー部材４の開放側の側端縁部から突設される各第２突片部８Ａ〜８Ｄは、ほぼ同じ形状であり、内径寸法が各第１突片部５Ａ〜５Ｄの外径寸法よりも少し大きい略円筒状に形成され、第２取付孔１９が形成されている。また、各第２突片部８Ａ〜８Ｄの内側の下側端面から所定高さの位置には、カバー部材４をシャーシ３に取り付けた場合に、各第１突片部５Ａ〜５Ｄの上端面に当接する当接部１８が内側にリブ状に突き出して設けられている。また、この各当接部１８の下面から各第２突片部８Ａ〜８Ｄの下面までの高さ寸法は、各第１突片部５Ａ〜５Ｄの上端面から各係止孔７までの高さ寸法よりも大きく形成されている。また、隣り合う各第２突片部８Ａ〜８Ｄは、梁部２０が架設されて、連結されている。
これにより、カバー部材４の開放側の側端縁部（図２中、左側側端縁部）に設けられたかぎ状の係止部２３をシャーシ３の係止口２４（図４参照）に係入させて取り付けた場合には、各第２突片部８Ａ〜８Ｄは、各第１突片部５Ａ〜５Ｄの係止孔７の外側を覆うように該各第１突片部５Ａ〜５Ｄの上側に嵌められる。
【００３４】
また、図２に示すように、第２突片部８Ａに嵌挿される茶色の係止部材１０は、第２突片部８Ａの内径寸法よりも小さく、且つ当接部１８の内径寸法よりも大きい外径寸法の円板状の板部材１０Ａと、この板部材１０Ａの下面から垂設された２つの弾性係止片１０Ｂ、１０Ｂが設けられており、また、各弾性係止片１０Ｂ、１０Ｂの下端には各係止突起１０Ｃ、１０Ｃが形成されている。各係止突起１０Ｃ、１０Ｃは、後述するように第１突片部５Ａに形成された各係止孔７、７弾性的に係合され、これにより第２突片部８Ａの内部において、係止部材１０と第１突片部５Ａの連結が行われる（図３参照）。
また、係止部材１０の板部材１０Ａの下面の中心部には取付ボス１０Ｄが垂設され、この取付ボス１０Ｄの下面と板部材１０Ａの上面とを連通する貫通孔１０Ｅが形成されている。この貫通孔１０Ｅには、後述のように螺子１１が挿通される（図３参照）。また、取付ボス１０Ｄの板部材１０Ａの下面からの高さ寸法は、取付ボス１６の上端面から第１突片部８Ａの上端面までの高さ寸法にほぼ等しく形成されている。
【００３５】
次に、上記のように構成された各第１突片部５Ａ〜５Ｄ、各第２突片部８Ａ〜８Ｄ、係止部材１０、及び螺子１１の取り付けについて図３に基づいて説明する。図３は第１実施形態に係る基板ケース１の各第１突片部５Ａ〜５Ｄ、各第２突片部８Ａ〜８Ｄ、係止部材１０、及び螺子１１の取りつけ状態を示す側断面図である。
図３に示すように、先ず、カバー部材４の係止部２３をシャーシ３の係止口２４（図４参照）に係入させて、カバー部材４をシャーシ３に取り付ける。そして、係止部材１０の板部材１０Ａの下面が第２突片部８Ａの当接部１８に当接するまで、弾性係止片１０Ｂを第２突片部８Ａの第２取付孔１９を介して第１突片部５Ａの第１取付孔１５に嵌挿し、該弾性係止片１０Ｂの下端に形成されている各係止突起１０Ｃ、１０Ｃを各係止孔７、７に係合させる。これにより、第２突片部８Ａは、係止部材１０を介して第１突片部５Ａに連結される。続いて、螺子１１が板部材１０の貫通孔１０Ｅに挿入され、第１突片部５Ａのネジ孔１７にねじ込まれて、第２突片部８Ａと第１突片部５Ａとは係止部材１０を介して強固に連結される。
また、係止部材１０の貫通孔１０Ｅに螺子１１を挿通後、該係止部材１０と螺子１１を共に、第２突片部８Ａの第２取付孔１９に上側から嵌挿し、該螺子１１を第１突片部５Ａのネジ孔１７にねじ込むことにより、係止部材１０の板部材１０Ａの下面を第２突片部８Ａの当接部１８に当接させて、且つ、弾性係止片１０Ｂの下端に形成されている各係止突起１０Ｃ、１０Ｃを各係止孔７、７に係合させてもよい。これによっても、第２突片部８Ａと第１突片部５Ａとは係止部材１０を介して強固に連結される。
そして、透明な合成樹脂製のカバー部材４の第２突片部８Ａを介して茶色の係止部材１０を一見して確認することができる。
尚、各第１突片部６Ａ〜６Ｄ、各第２突片部９Ａ〜９Ｄ、係止部材１２、及び螺子１３も同様に取り付けられる。これにより、カバー部材４のシャーシ３への取り付けが封止される。
【００３６】
次に、カバー部材４のシャーシ３への取り付けの封止を解除する方法について図４に基づいて説明する。図４は第１実施形態に係る基板ケース１の封止を解除した際の一例を示す平面図である。
図４に示すように、第２突片部８Ａと第２突片部８Ｂとを連結する梁部２０を切欠き、また、第２突片部８Ａとカバー部材４との連結部分、及び第１突片部５Ａとシャーシ３との連結部分を切り欠くことにより、第１突片部５Ａ及び第２突片部８Ａを基板ケース１から取り除く。続いて、第２突片部９Ａと第２突片部９Ｂとを連結する梁部２０を切欠き、また、第２突片部９Ａとカバー部材４との連結部分、及び第１突片部６Ａとシャーシ３との連結部分を切り欠くことにより、第１突片部６Ａ及び第２突片部９Ａを基板ケース１から取り除く。これにより、カバー部材４のシャーシ３への取り付けの封止を解除することができる。
尚、その後に、カバー部材４をシャーシ３に取り付け、未だ切り欠けられていない各第１突片部５Ｂ、６Ｂと第２突片部８Ｂ、９Ｂとにおいて、別供給の係止部材１０、１２を嵌挿し、螺子１１、１３をねじ込むことにより、再度、カバー部材４のシャーシ３への取り付けの封止を行うことができる。即ち、第１実施形態に係る基板ケース１においては、カバー部材４のシャーシ３への取り付けの封止を４回行うことができる。
【００３７】
以上詳細に説明した通り第１実施形態に係るパチンコ機の基板ケース１では、カバー部材４の係止部２３をシャーシ３の係止口２４に係入させて、カバー部材４をシャーシ３に取り付ける。そして、各第１突片部５Ａ、６Ａの上側に嵌め被せられた各第２突片部８Ａ、９Ａの第２取付孔１９及び各第１突片部５Ａ、６Ａの第１取付孔１５に各係止部材１０、１２を嵌挿して、この各係止部材１０、１２の係止突起を第１突片部５Ａ、６Ａの係止孔７に係合させて該各第１突片部５Ａ、６Ａと各第２突片部８Ａ、９Ａとを連結させる。そして螺子１１、１３を各係止部材１０、１２の貫通孔に挿通して、第１突片部５Ａ、６Ａにねじ込み、カバー部材４のシャーシ３への取り付けを封止する。また、各第１突片部５Ａ、６Ａと各第２突片部８Ａ、９Ａをカバー部材４及びシャーシ３から切り欠くことにより、この封止を解除する。
【００３８】
したがって、封止後、各係止孔７は各第２突片部８Ａ〜８Ｄ、９Ａ〜９Ｄにより外側が覆われ、また、各第１突片部５Ａ〜５Ｄ、６Ａ〜６Ｄの下端部は塞がれているため、各係止部材１０、１２の各係止突起に自由に接触することを防止することができ、この封止を不正に外されることを効果的に防止することが可能となる。また、各係止部材１０、１２を前記第１取付孔１５及び第２取付孔１９の内側に嵌挿することにより封止を行うことができるため、この封止を容易に行うことができて作業性の向上を図ることが可能となる。また、各係止孔７の製作は、容易なため、製造コストダウンを図ることが可能となる。
また、各係止部材１０、１２は、各螺子１１、１３によりネジ止めされるため、より強固に係止部材１０、１２を固定することができ、この封止を不正に外されることをより効果的に防止することが可能となる。
また、各係止部材１０、１２が嵌挿された第１突片部５Ａ、６Ａ及び第２突片部８Ａ、９Ａをシャーシ３及びカバー部材４から切り欠くことにより、上記封止が解除されて、該カバー部材４をシャーシ３から取り外すことが可能になる。また、未だ切り欠けられていない各第１突片部５Ｂ〜５Ｄ、６Ｂ〜６Ｄ及び各第２突片部８Ｂ〜８Ｄ、９Ｂ〜９Ｄにおいて、これらの内側に係止部材を嵌挿することにより、カバー部材４のシャーシ３への取り付けを再度、封止することが可能となる。
また、各係止部材１０、１２は、透明な合成樹脂製のカバー部材４を介して見えるため、係止部材１０、１２による封止の確認を容易に、且つ効果的に行うことが可能となる。
また、各係止部材は１０、１２には、茶色が付されているため、各係止部材１０、１２による封止の確認をより容易に、且つより効果的に行うことが可能となる。
さらに、基板ケース１内にはメイン基板２が装着されるため、封止中のメイン基板２に対する検査等をより効果的に繰り返し行うことが可能となる。
【００３９】
次に、第２実施形態に係るパチンコ機の基板ケースについて図５乃至図７に基づいて説明する。先ず、第２実施形態に係るパチンコ機の基板ケースの全体構成について図５に基づき説明する。図５は第２実施形態に係るパチンコ機の基板ケースを示した分解斜視図である。
図５に示すように、第２実施形態に係る基板ケース３１は、第１実施形態に係る基板ケース１とほぼ同じ構成である。但し、上記メイン基板２が固定されたシャーシ３２、及びメイン基板２を覆うポリカーボネート樹脂等の合成樹脂により形成された透明なカバー部材３３から構成されている。
【００４０】
また、シャーシ３２の上下端縁部（図５中、左右端縁部）には、４個ずつ第１突片部３５Ａ、３５Ｂ、３５Ｃ、３５Ｄ、及び３６Ａ、３６Ｂ、３６Ｃ、３６Ｄが、各々対称な位置に突き出されて設けられている。この各第１突片部３５Ａ〜３５Ｄ、３６Ａ〜３６Ｄの側面の中心軸に対して対称な位置の２カ所には、後述の係止孔３７（図６参照）が形成されている。また、カバー部材３３の開放側上下端縁部の前記各第１突片部３５Ａ〜３５Ｄ、３６Ａ〜３６Ｄに対向する位置には、４個ずつ第２突片部３８Ａ、３８Ｂ、３８Ｃ、３８Ｄ、及び３９Ａ、３９Ｂ、３９Ｃ、３９Ｄが、各々突き出されて設けられている。
【００４１】
また、各第２突片部３８Ａ、３９Ａには、後述のように茶色の合成樹脂製の各係止部材４０、４１（図６参照）が上側から嵌挿されて、カバー部材３３のシャーシ３２への取り付けが封止される（図７参照）。
【００４２】
次に、各第１突片部３５Ａ〜３５Ｄ、３６Ａ〜３６Ｄ、各第２突片部３８Ａ〜３８Ｄ、３９Ａ〜３９Ｄ、及び各係止部材４０、４１の構成について図６に基づいて説明する。尚、各第１突片部３５Ａ〜３５Ｄ、各第２突片部３８Ａ〜３８Ｄ、及び係止部材４０と、各第１突片部３６Ａ〜３６Ｄ、各第２突片部３９Ａ〜３９Ｄ、及び係止部材４１とは、ほぼ同じ構成であるので、各第１突片部３５Ａ〜３５Ｄ、各第２突片部３８Ａ〜３８Ｄ、及び係止部材４０の構成について説明する。図６は第２実施形態に係る基板ケース３１の各第１突片部３５Ａ〜３５Ｄ、各第２突片部３８Ａ〜３８Ｄ、及び係止部材４０を示す側断面図である。
【００４３】
先ず、シャーシ３２から突設される各第１突片部３５Ａ〜３５Ｄは、図６に示すように、ほぼ同じ形状であり、略円筒状で下側端縁部が塞がれて、第１取付孔４５が形成されている。そして、その側面には中心軸に対して対称な位置に各係止孔３７、３７が穿設されている。また、底面のほぼ中心位置には取付ボス４６が後述の当接部４８の上端面とほぼ同じ高さ位置まで垂設されている。そして、この取付ボス４６の上端面には所定深さの孔が形成されている。
【００４４】
また、図６に示すように、カバー部材３３の開放側の側端縁部から突設される各第２突片部３８Ａ〜３８Ｄは、ほぼ同じ形状であり、内径寸法が各第１突片部３５Ａ〜３５Ｄの外径寸法よりも少し大きい略円筒状に形成され、第２取付孔４７が形成されている。また、各第２突片部３８Ａ〜３８Ｄの内側の下側端面から所定高さの位置には、カバー部材３３をシャーシ３２に取り付けた場合に、各第１突片部３５Ａ〜３５Ｄの上端面に当接する当接部４８が内側にリブ状に突き出して設けられている。また、この各当接部４８の下面から各第２突片部３８Ａ〜３８Ｄの下面までの高さ寸法は、各第１突片部３５Ａ〜３５Ｄの上端面から各係止孔３７までの高さ寸法よりも大きく形成されている。また、隣り合う各第２突片部３８Ａ〜３８Ｄは、梁部５０が架設されて、連結されている。
これにより、カバー部材３３の開放側の側端縁部（図６中、左側側端縁部）に設けられたかぎ状の係止部２３をシャーシ３２の係止口２４（図４参照）に係入させて取り付けた場合には、各第２突片部３８Ａ〜３８Ｄは、各第１突片部３５Ａ〜３５Ｄの係止孔３７の外側を覆うように該各第１突片部３５Ａ〜３５Ｄの上側に嵌められる。
【００４５】
また、図６に示すように、第２突片部３８Ａに嵌挿される茶色の係止部材４０は、第２突片部３８Ａの内径寸法よりも小さく、且つ当接部４８の内径寸法よりも大きい外径寸法の円板状の板部材４０Ａと、この板部材４０Ａの下面から垂設された２つの弾性係止片４０Ｂ、４０Ｂが設けられており、また、各弾性係止片４０Ｂ、４０Ｂの下端には各係止突起４０Ｃ、４０Ｃが形成されている。各係止突起４０Ｃ、４０Ｃは、後述するように第１突片部３５Ａに形成された各係止孔３７、３７に弾性的に係合され、これにより第２突片部３８Ａの内部において、係止部材４０と第１突片部３５Ａの連結が行われる（図７参照）。
【００４６】
次に、上記のように構成された各第１突片部３５Ａ〜３５Ｄ、各第２突片部３８Ａ〜３８Ｄ、及び係止部材４０の取り付けについて図７に基づいて説明する。図７は第２実施形態に係る基板ケース３１の各第１突片部３５Ａ〜３５Ｄ、各第２突片部３８Ａ〜３８Ｄ、及び係止部材４０の取りつけ状態を示す側断面図である。
図７に示すように、先ず、カバー部材３３の係止部２３をシャーシ３２の係止口２４（図４参照）に係入させて、カバー部材３３をシャーシ３２に取り付ける。そして、係止部材４０の板部材４０Ａの下面が第２突片部３８Ａの当接部４８及び第１突片部３５Ａの取付ボス４６の上端面に当接するまで、弾性係止片４０Ｂを第２突片部３８Ａの第２取付孔４７を介して第１突片部３５Ａの第１取付孔４５に嵌挿し、該弾性係止片４０Ｂの下端に形成されている各係止突起４０Ｃ、４０Ｃを各係止孔３７、３７に係合させる。これにより、第２突片部３８Ａは、係止部材４０を介して第１突片部３５Ａに連結される。また、透明な合成樹脂製のカバー部材３３の第２突片部３８Ａを介して茶色の係止部材４０を一見して確認することができる。
尚、各第１突片部３６Ａ〜３６Ｄ、各第２突片部３９Ａ〜３９Ｄ、及び係止部材４１も同様に取り付けられる。これにより、カバー部材３３のシャーシ３２への取り付けが封止される。
【００４７】
また、カバー部材３３のシャーシ３２への取り付けの封止を解除する方法は、上記第１実施形態とほぼ同じであり（図４参照）、第２突片部３８Ａと第２突片部３８Ｂとを連結する梁部５０を切欠き、また、第２突片部３８Ａとカバー部材３３との連結部分、及び第１突片部３５Ａとシャーシ３２との連結部分を切り欠くことにより、第１突片部３５Ａ及び第２突片部３８Ａを基板ケース３１から取り除く。続いて、第２突片部３９Ａと第２突片部３９Ｂとを連結する梁部５０を切欠き、また、第２突片部３９Ａとカバー部材３３との連結部分、及び第１突片部３６Ａとシャーシ３２との連結部分を切り欠くことにより、第１突片部３６Ａ及び第２突片部３９Ａを基板ケース３１から取り除く。これにより、カバー部材３３のシャーシ３２への取り付けの封止を解除することができる。
尚、その後に、カバー部材３３をシャーシ３２に取り付け、未だ切り欠けられていない各第１突片部３５Ｂ、３６Ｂと第２突片部３８Ｂ、３９Ｂとにおいて、別供給の係止部材４０、４１を嵌挿することにより、再度、カバー部材３３のシャーシ３２への取り付けの封止を行うことができる。即ち、第２実施形態に係る基板ケース３１においては、カバー部材３３のシャーシ３２への取り付けの封止を４回行うことができる。
【００４８】
以上詳細に説明した通り第２実施形態に係るパチンコ機の基板ケース３１では、カバー部材３３の係止部２３をシャーシ３２の係止口２４に係入させて、カバー部材３３をシャーシ３２に取り付ける。そして、各第１突片部３５Ａ、３６Ａの上側に嵌め被せられた各第２突片部３８Ａ、３９Ａの第２取付孔４７及び各第１突片部３５Ａ、３６Ａの第１取付孔４５に各係止部材４０、４１を嵌挿して、この各係止部材４０、４１の係止突起を第１突片部３５Ａ、３６Ａの係止孔３７に係合させて該各第１突片部３５Ａ、３６Ａと各第２突片部３８Ａ、３９Ａとを連結させ、カバー部材３３のシャーシ３２への取り付けを封止する。また、各第１突片部３５Ａ、３６Ａと各第２突片部３８Ａ、３９Ａをカバー部材３３及びシャーシ３２から切り欠くことにより、この封止を解除する。
【００４９】
したがって、封止後、各係止孔３７は各第２突片部３８Ａ〜３８Ｄ、３９Ａ〜３９Ｄにより外側が覆われ、また、各第１突片部３５Ａ〜３５Ｄ、３６Ａ〜３６Ｄの下端部は塞がれているため、各係止部材４０、４１の各係止突起に自由に接触することを防止することができ、この封止を不正に外されることを効果的に防止することが可能となる。また、各係止部材４０、４１を上記第１取付孔４５及び第２取付孔４７の内側に嵌挿することにより封止を行うことができるため、この封止を容易に行うことができて作業性の向上を図ることが可能となる。また、各係止孔３７の製作は、容易なため、製造コストダウンを図ることが可能となる。
また、各係止部材４０、４１が嵌挿された第１突片部３５Ａ、３６Ａ及び第２突片部３８Ａ、３９Ａをシャーシ３２及びカバー部材３３から切り欠くことにより、上記封止が解除されて、該カバー部材３３をシャーシ３２から取り外すことが可能になる。また、未だ切り欠けられていない各第１突片部３５Ｂ〜３５Ｄ、３６Ｂ〜３６Ｄ及び各第２突片部３８Ｂ〜３８Ｄ、３９Ｂ〜３９Ｄにおいて、これらの内側に係止部材４０、４１を嵌挿することにより、カバー部材３３のシャーシ３２への取り付けを再度、封止することが可能となる。
また、各係止部材４０、４１は、透明な合成樹脂製のカバー部材３３を介して見えるため、係止部材４０、４１による封止の確認を容易に、且つ確実に行うことが可能となる。
また、各係止部材は４０、４１には、茶色が付されているため、各係止部材４０、４１による封止の確認をより容易に、且つより効果的に行うことが可能となる。
さらに、基板ケース３１内にはメイン基板２が装着されるため、封止中のメイン基板２に対する検査等をより効果的に繰り返し行うことが可能となる。
【００５０】
次に、第３実施形態に係るパチンコ機の基板ケースについて図８乃至図１０に基づいて説明する。先ず、第３実施形態に係るパチンコ機の基板ケースの全体構成について図８に基づき説明する。図８は第３実施形態に係るパチンコ機の基板ケースを示した分解斜視図である。
図８に示すように、第３実施形態に係る基板ケース６１は、第１実施形態に係る基板ケース１とほぼ同じ構成である。但し、上記メイン基板２が固定されたシャーシ６２、及びメイン基板２を覆うポリカーボネート樹脂等の合成樹脂により形成された透明なカバー部材６３から構成されている。
【００５１】
また、シャーシ６２の上下端縁部（図８中、左右端縁部）には、４個ずつ後述の第１突片部６５Ａ、６５Ｂ、６５Ｃ、６５Ｄ、及び６６Ａ、６６Ｂ、６６Ｃ、６６Ｄが、各々対称な位置に突き出されて設けられている（図９参照）。また、カバー部材６３の開放側上下端縁部の前記各第１突片部６５Ａ〜６５Ｄ、６６Ａ〜６６Ｄに対向する位置には、４個ずつ第２突片部６８Ａ、６８Ｂ、６８Ｃ、６８Ｄ、及び６９Ａ、６９Ｂ、６９Ｃ、６９Ｄが、各々突き出されて設けられている。
【００５２】
また、各第２突片部６８Ａ、６９Ａには、後述のように茶色の合成樹脂製の各係止部材７０、７１（図９参照）が上側から嵌挿されて、カバー部材６３のシャーシ６２への取り付けが封止される（図１０参照）。
【００５３】
次に、各第１突片部６５Ａ〜６５Ｄ、６６Ａ〜６６Ｄ、各第２突片部６８Ａ〜６８Ｄ、６９Ａ〜６９Ｄ、及び各係止部材７０、７１の構成について図９に基づいて説明する。尚、各第１突片部６５Ａ〜６５Ｄ、６６Ａ〜６６Ｄの構成はほぼ同じ構成であり、また、各第２突片部６８Ａ〜６８Ｄ、６９Ａ〜６９Ｄの構成はほぼ同じ構成であり、さらに、各係止部材７０、７１の構成はほぼ同じ構成であるため、第１突片部６５Ａ、第２突片部６８Ａ、及び係止部材７０の構成について図９に基づいて説明する。図９は第３実施形態に係る基板ケース６１の第１突片部６５Ａ、第２突片部６８Ａ、及び係止部材７０を示す要部を拡大した側断面図であって、上下に間隔をあけて示したものある。
【００５４】
先ず、シャーシ６２から突設される第１突片部６５Ａは、図９に示すように、略円筒状で下側端縁部が塞がれており、第１取付孔７４が形成されている。また、第１突片部６５Ａは、内側の底面から少し上の位置にリング状にくぼんだ所定深さの凹部７３が内周面に形成されている。この凹部７３は、後述のように係止部材７０の係止突起７０Ｃと係合するものである（図１０参照）。
【００５５】
また、図９に示すように、カバー部材６３の開放側の側端縁部から突設される第２突片部６８Ａは、第１突片部６５Ａとほぼ等しい外径寸法と内径寸法の略円筒状で上側端縁部が塞がれており、第２取付孔７５が形成されている。また、第２突片部６８Ａは、内側の天井面から少し下の位置にリング状にくぼんだ所定深さの凹部７６が内周面に形成されている。この凹部７６は、後述のように係止部材７０の係止突起７０Ｃと係合するものである（図１０参照）。また、隣り合う各第２突片部６８Ａ〜６８Ｄ、及び６９Ａ〜６９Ｄは、梁部８０が架設されて、連結されている。
【００５６】
また、図９に示すように、第１突片部６５Ａ及び第２突片部６８Ａ内に嵌挿される茶色の係止部材７０は、第１取付孔７４及び第２取付孔７５の内径寸法よりも少し小さい外径寸法の円板状の板部材７０Ａと、この板部材７０Ａの上下面の周端縁部から各々２つずつ垂設された弾性係止片７０Ｂ、７０Ｂ、７０Ｂ、７０Ｂが設けられており、また、各弾性係止片７０Ｂ、７０Ｂ、７０Ｂ、７０Ｂの端部には各係止突起７０Ｃ、７０Ｃ、７０Ｃ、７０Ｃが形成されている。各係止突起７０Ｃ、７０Ｃ、７０Ｃ、７０Ｃは、後述するように各凹部７３、７６に弾性的に係合され、これにより第１突片部６５Ａと第２突片部６８Ａとの連結が行われる。
【００５７】
次に、上記のように構成された第１突片部６５Ａ、第２突片部６８Ａ、及び係止部材７０の取り付けについて図１０に基づいて説明する。図１０は第３実施形態に係る基板ケース６１の第１突片部６５Ａ、第２突片部６８Ａ、及び係止部材７０の取り付け状態を示す側断面図である。
先ず、カバー部材６３の係止部２３をシャーシ６２の係止口２４（図４参照）に係入させて、カバー部材６３の一側端縁部をシャーシ６２に取り付ける。そして、第１突片部６５Ａ及び第２突片部６８Ａ側の側端縁部に、係止部材７０を縦に挿入できる程度の隙間を設ける。そして、係止部材７０の下側の各係止突起７０Ｃ、７０Ｃを第１突片部６５Ａの第１取付孔７４の上端縁部に当接する。続いて、係止部材７０の上側の各係止突起７０Ｃ、７０Ｃを第２突片部６８Ａの第２取付孔７５の下端縁部に当接する。そして、第１突片部６５Ａの上端面と第２突片部６８Ａの下端面とを当接させる（図９の、各矢印Ａ、Ｂ方向に押さえ込む）。これにより、係止部材７０の各係止突起７０Ｃ、７０Ｃ、７０Ｃ、７０Ｃが各凹部７３、７６に係合し、第１突片部６５Ａと第２突片部６８Ａとは係止部材７０を介して連結される。また、透明な合成樹脂製のカバー部材６３の第２突片部６８Ａを介して茶色の係止部材７０を一見して確認することができる。
尚、第１突片部６６Ａ、第２突片部６９Ａ、及び係止部材７１も同様に取り付けられる。これにより、カバー部材６３のシャーシ６２への取り付けが封止される。
【００５８】
また、カバー部材６３のシャーシ６２への取り付けの封止を解除する方法は、上記第１実施形態とほぼ同じであり（図４参照）、第２突片部６８Ａと第２突片部６８Ｂとを連結する梁部８０を切欠き、また、第２突片部６８Ａとカバー部材６３との連結部分、及び第１突片部６５Ａとシャーシ６２との連結部分を切り欠くことにより、第１突片部６５Ａ及び第２突片部６８Ａを基板ケース６１から取り除く。続いて、第２突片部６９Ａと第２突片部６９Ｂとを連結する梁部８０を切欠き、また、第２突片部６９Ａとカバー部材６３との連結部分、及び第１突片部６６Ａとシャーシ６２との連結部分を切り欠くことにより、第１突片部６６Ａ及び第２突片部６９Ａを基板ケース６１から取り除く。これにより、カバー部材６３のシャーシ６２への取り付けの封止を解除することができる。
尚、その後に、カバー部材６３をシャーシ６２に取り付け、未だ切り欠けられていない各第１突片部６５Ｂ、６６Ｂと第２突片部６８Ｂ、６９Ｂとにおいて、別供給の係止部材７０、７１を内側に挟み込むことにより、再度、カバー部材６３のシャーシ６２への取り付けの封止を行うことができる。即ち、第３実施形態に係る基板ケース６１においては、カバー部材６３のシャーシ６２への取り付けの封止を４回行うことができる。
【００５９】
以上詳細に説明した通り第３実施形態に係るパチンコ機の基板ケース６１では、カバー部材６３の係止部２３をシャーシ６２の係止口２４に係入させて、カバー部材６３をシャーシ６２に取り付ける。そして、第１突片部６５Ａ及び第２突片部６８Ａ側の側端縁部に、係止部材７０を縦に挿入できる程度の隙間を設ける。続いて、各第１突片部６５Ａ、６６Ａと第２突片部６８Ａ、６９Ａとにおいて、係止部材７０、７１を内側に挟み込むことにより、カバー部材６３のシャーシ６２への取り付けの封止を行うことができる。また、各第１突片部６５Ａ、６６Ａと各第２突片部６８Ａ、６９Ａをカバー部材６３及びシャーシ６２から切り欠くことにより、この封止を解除する。
【００６０】
したがって、各係止部材７０、７１は、各第１突片部６５Ａ、６６Ａと第２突片部６８Ａ、６９Ａの内側において係止されるため、各係止部材７０、７１の各係止突起に自由に接触することを防止することができ、この封止を不正に外されることを効果的に防止することが可能となる。また、各係止部材７０、７１を上記第１取付孔７４及び第２取付孔７５の内側に挟み込むことにより封止を行うことができるため、この封止を容易に行うことができて作業性の向上を図ることが可能となる。また、各凹部７３、７６の製作は、容易なため、製造コストダウンを図ることが可能となる。
また、各係止部材７０、７１が嵌挿された第１突片部６５Ａ、６６Ａ及び第２突片部６８Ａ、６９Ａをシャーシ６２及びカバー部材６３から切り欠くことにより、上記封止が解除されて、該カバー部材６３をシャーシ６２から取り外すことが可能になる。また、未だ切り欠けられていない各第１突片部６５Ｂ〜６５Ｄ、６６Ｂ〜６６Ｄ及び各第２突片部６８Ｂ〜６８Ｄ、６９Ｂ〜６９Ｄにおいて、これらの内側に係止部材７０、７１を挟み込むことにより、カバー部材６３のシャーシ６２への取り付けを再度、封止することが可能となる。
また、各係止部材７０、７１は、透明な合成樹脂製のカバー部材６３を介して見えるため、係止部材７０、７１による封止の確認を容易に、且つ効果的に行うことが可能となる。
また、各係止部材は７０、７１には、茶色が付されているため、各係止部材７０、７１による封止の確認をより容易に、且つより効果的に行うことが可能となる。
さらに、基板ケース６１内にはメイン基板２が装着されるため、封止中のメイン基板２に対する検査等をより効果的に繰り返し行うことが可能となる。
【００６１】
尚、本発明は上記第１乃至第３実施形態に限定されることはなく、本発明の要旨を逸脱しない範囲内で種々の改良、変形が可能であることは勿論であり、以下のようにしてもよい。
（ａ）前記第１乃至第３実施形態では、各係止部材１０、１２、４０、４１、７０、７１を別供給としたが、各基板ケース１、３１、６１内等に、取り外せるようにして装着しておいてもよい。
（ｂ）前記第１乃至第３実施形態では、各係止部材１０、１２、４０、４１、７０、７１は、茶色に着色されていたが、着色する色は任意であり、蛍光色等を着色してもよい。
【００６２】
【発明の効果】
以上説明した通り本発明は、回路基板に対する封止部分に封止後自由に接触することを防止し、該封止を不正に外されることを効果的に防止することが可能となると共に、該封止を容易に行うことができて作業性の向上を図ることが可能なパチンコ機の基板ケースを提供することができる。
【図面の簡単な説明】
【図１】
第１実施形態に係るパチンコ機の基板ケースを示した分解斜視図である。
【図２】
第１実施形態に係る基板ケースの各第１突片部、各第２突片部、係止部材、及び螺子を示す側断面図である。
【図３】
第１実施形態に係る基板ケースの各第１突片部、各第２突片部、係止部材、及び螺子の取りつけ状態を示す側断面図である。
【図４】
第１実施形態に係る基板ケースの封止を解除した際の一例を示す平面図である。
【図５】
第２実施形態に係るパチンコ機の基板ケースを示した分解斜視図である。
【図６】
第２実施形態に係る基板ケースの各第１突片部、各第２突片部、及び係止部材を示す側断面図である。
【図７】
第２実施形態に係る基板ケースの各第１突片部、各第２突片部、及び係止部材の取りつけ状態を示す側断面図である。
【図８】
第３実施形態に係るパチンコ機の基板ケースを示した分解斜視図である。
【図９】
第３実施形態に係る基板ケースの第１突片部、第２突片部、及び係止部材を示す要部を拡大した側断面図であって、上下に間隔をあけて示したものある。
【図１０】
第３実施形態に係る基板ケースの第１突片部、第２突片部、及び係止部材の取り付け状態を示す側断面図である。
【図１１】
従来例に係るパチンコ機の回路基板の封止構造を示した分解斜視図である。
【図１２】
従来例に係るパチンコ機の図１１の矢視Ｐから見た図であって、第１突片部、第２突片部、ねじの一部については、断面で示したものである。
【図１３】
従来例に係るパチンコ機のメイン基板をシャーシ及びカバーで封止した際における一例を示した断面図である。
【図１４】
従来例に係るパチンコ機の回路基板に対する封止を解除した際の一例を示した平面図である。
【符号の説明】
１、３１、６１                      基板ケース
２                                  メイン基板
３、３２、６２                      シャーシ
４、３３、６３                      カバー部材
５Ａ〜５Ｄ、６Ａ〜６Ｄ、３５Ａ〜３５Ｄ、３６Ａ〜３６Ｄ、６５Ａ〜６５Ｄ、６６Ａ〜６６Ｄ                      第１突片部
８Ａ〜８Ｄ、９Ａ〜９Ｄ、３８Ａ〜３８Ｄ、３９Ａ〜３９Ｄ、６８Ａ〜６８Ｄ、６９Ａ〜６９Ｄ                      第２突片部
７、３７                            係止孔
１０、１１、４０、４１、７０、７１  係止部材
１０Ａ、４０Ａ、７０Ａ              板部材
１０Ｂ、４０Ｂ、７０Ｂ              弾性係止片
１０Ｃ、４０Ｃ、７０Ｃ              係止突起
１１、１３                          螺子
１５、４５、７４                    第１取付孔
１８、４８                          当接部
１９、４７、７５                    第２取付孔
２０、５０、８０                    梁部
７３、７６                          凹部